(57)【要約】【課題】住宅の屋根垂木間や壁縦枠間等、木材間への嵌入取付けの容易な遮熱材１を断熱材２と併用して、外部からの加熱負荷を受けても蓄熱体とならない、しかも、室内側からの施工取付けの容易な断熱用の遮熱材を提供する。【解決手段】上面層１Ａ、中間層１Ｂ、底面層１Ｃにより各層間には空気層空間Ｓ１，Ｓ２を形成すると共に、各層の上面には輻射熱反射層Ｒｅを備え、更に上面層１Ａを保形上面シート１２で構成して、該シート１２の両側には、折曲部１２Ｓを介して復元性を有する折曲脚部１２Ｌ，１２Ｒを配置した遮熱材１を、住宅の支持部材３，３０間に嵌入すると共に、遮熱材下面に断熱材２を配置し、折曲脚部１２Ｌ，１２Ｒの復元力Ｆ０による両側の木材面への突っ張り支持によって遮熱材１を適正姿勢に保持することにより、断熱材２を遮熱材１によって熱的に保護する。【選択図】              図２
2005016171.tif 000002
【特許請求の範囲】
【請求項１】
少なくとも、保形上面シート（１２）を含む上面層（１Ａ）と、下面シート（１５）から成る底面層（１Ｃ）とを含む複数層（１Ａ，１Ｂ，１Ｃ）を備え、各層間は起立片（１６，１７）群で連結して、長手方向に空気流通可能に開口した空気層空間（Ｓ１，Ｓ２）を備え、各層（１Ａ，１Ｂ，１Ｃ）の上面が輻射熱反射層（Ｒｅ）を備え、且つ、保形上面シート（１２）が折曲部（１２Ｓ）での復元性を有する折曲脚部（１２Ｌ，１２Ｒ）を両側に備えた遮熱材（１）を、支持部材（３，３０）間に嵌入し、下面シート（１５）の底面（１５Ｂ）に断熱材（２）を配置して、両側の支持部材（３，３０）間に遮熱材（１）と断熱材（２）とを積層配置した住宅の断熱構造。
【請求項２】
遮熱材（１）が、両端部の起立片（１６）の外側面（１６Ｆ）に輻射熱反射層（Ｒｅ）を備え、且つ、中間層（１Ｂ）を構成する中間シート（１４）及び下面シート（１５）の全面に透湿用のピンホール（ｈｏ）を散在配置した、請求項１の住宅の断熱構造。
【請求項３】
遮熱材（１）の上面層（１Ａ）が、上面シート（１３）と、上面シート（１３）上に層着した保形上面シート（１２）から成り、起立片（１６，１７）群を下面シート（１５）と上面シート（１３）とに倒伏自在に連結止着した、請求項１又は２の住宅の断熱構造。
【請求項４】
遮熱材（１）は、上面シート（１３）の両端縁（１３Ｅ）が保形上面シート（１２）の折曲脚部（１２Ｌ，１２Ｒ）の折曲部（１２Ｓ）を規定し、下面シート（１５）が上面シート（１３）と同幅（Ｗ２）である、請求項１乃至３のいずれか１項の住宅の断熱構造。
【請求項５】
遮熱材（１）の上面層（１Ａ）が、保形上面シート（１２）であり、起立片（１６，１７）群を下面シート（１５）と保形上面シート（１２）との間に倒伏自在に止着した、請求項１又は２の住宅の断熱構造。
【請求項６】
遮熱材（１）の下面シート（１５）が両側に延出部（１５Ｌ，１５Ｒ）を備え、延出部（１５Ｌ，１５Ｒ）を支持部材側面（３Ｆ，３０Ｆ）に折曲当接した請求項１乃至３のいずれか１項の住宅の断熱構造。
【請求項７】
遮熱材（１）の保形上面シート（１２）が、両側の折曲部（１２Ｓ）間で上面層（１Ａ）の平坦面幅（Ｗ１）を規定し、折曲部（１２Ｓ）から下面シート（１５）までの高さ（ｈ１）に略同寸の折曲脚部（１２Ｌ，１２Ｒ）を備えた、請求項１乃至６のいずれか１項の住宅の断熱構造。
【請求項８】
遮熱材（１）は、保形上面シート（１２）が段ボール紙であり、他のシート（１３，１４，１５）及び起立片（１６，１７）がクラフト紙であり、且つ、輻射熱反射層（Ｒｅ）がアルミ箔貼着層である、請求項１乃至７のいずれか１項の住宅の断熱構造。
【発明の詳細な説明】
【０００１】
【発明の属する技術分野】
本発明は、住宅の断熱構造を改善するものであって、外部との熱伝達を遮断、抑制するための新規な遮熱材によって断熱材を被覆保護する断熱構造に関するものであり、家屋建築の技術分野に属するものである。
【０００２】
【従来の技術】
〔非特許文献１〕  平成１４年６月１日、財団法人建築環境・省エネルギー機構発行、「住宅の省エネルギー基準の解説」第１９２〜１９３頁（６）屋根断熱の項
〔特許文献１〕  特許第３２５１０００号公報（特開２０００−３５５９８９号）
【０００３】
〔従来例１〕
非特許文献１に開示された技術は、図７に示すものであり、住宅の屋根断熱の典型例である。
即ち、小屋組の棟木、母屋、軒桁等に垂木を釘打ち固定し、合板等の屋根下張材を垂木に釘で固定しておき、図７（Ａ）の如く、垂木上部側面に通気下地材を釘打ち固定し、図７（Ｂ）の如く、通気下地材に透湿防水シートや合板等の防風層を釘で留めて、屋根下張材と防風層との隙間で通気層を形成する。
次に、図７（Ｃ）の如く、垂木間寸法に切断した断熱材を垂木間に室内側から嵌入してずり落ちないように釘で垂木に固定し、更に断熱材の下側から塩化ビニール等の防湿層をタッカー等で垂木に固定するものである。
【０００４】
〔従来例２〕
図８は、特許文献１に開示された遮熱材であり、本願出願人が特願２０００−２７１３３５号として出願し、平成１２年１２月２６日に、特開２０００−３５５９８９号として公開され、特許第３２５１０００号として特許されたものである。
即ち、図８に示す如く、該遮熱材は、それぞれ上面に輻射熱反射層を備えた各上面層、中間層及び下面層を各倒伏自在の起立片群で連結し、各層間に空気流通用の空気層空間を形成したものであり、小屋裏内部の断熱にあっては、図８（Ａ）の如く、天井仕上材に配置した断熱材上に載置し、遮熱材上面層の端縁を構造材等に止着して遮熱材の起立状態を保持し、断熱材を遮熱材で熱的に保護している。
【０００５】
また、屋根断熱にあっては、図８（Ｂ）に示す如く、遮熱材を垂木間に上方から嵌入して上面層の両側部を垂木上面にタッカー等で固定し、断熱材を遮熱材下面に当接して垂木に釘等で固定し、断熱材下面には防湿層をタッカー等で垂木に固定し、次いで、遮熱材上面に屋根下張材を配置して垂木に釘打ち固定し、屋根下張材上に防水層、及び屋根仕上材を布設するものである。
【０００６】
【発明が解決しようとする課題】
従来例１（図７）にあっては、屋根面からの高温加熱に対して排熱に有効な通気層が形成出来、垂木高さの選定によって所望厚の断熱材の付設も可能となるが、断熱材は屋根からの加熱によって大容量蓄熱体となり、夜間に外気温が低下しても、断熱材は依然として放熱し続けるため、室内環境を悪化し、冷却空調設備の長時間運転が必要となる。
【０００７】
また、従来例２（図８）にあっては、従来例１の断熱構造を改善したものであり、断熱材を遮熱材で被覆保護するため、断熱材の蓄熱量を大幅に抑制出来るが、遮熱材は自立性を欠くため、所定位置での保持には周囲の構造材への上面層の取付施工が必要であり、図８（Ｂ）の如く、屋根断熱に適用するに際しては、垂木に遮熱材を取付けてから屋根下張材を張設する必要があり、遮熱材の付与は、室内側からの施工が不可能であって、屋根上からの複雑、困難、且つ危険な高所作業となる。
【０００８】
しかも、遮熱材の付設作業は、屋根下張材及び防水層張設の前の作業であるため、雨天下での作業は出来ず、遮熱材布設中に雨に濡れれば、住宅の耐用中に、カビの発生や腐蝕等の問題を生ずる。
本発明は、これら従来例１，２の問題点を改善又は解決するものであり、新規な遮熱材を用いて断熱材の蓄熱が抑制出来、且つ布設が容易に施工出来る住宅の断熱構造の提供を可能とするものである。
【０００９】
【課題を解決するための手段、及び作用】
本発明の断熱構造は、例えば図２（Ｂ）に示す如く、少なくとも、保形上面シート１２を含む上面層１Ａと、下面シート１５から成る底面層１Ｃとを含む複数層１Ａ，１Ｂ，１Ｃを備え、各層間は起立片１６，１７群で連結して、長手方向に空気流通可能に開口した空気層空間Ｓ１，Ｓ２を備え、各層１Ａ，１Ｂ，１Ｃの上面が輻射熱反射層Ｒｅを備え、且つ、保形上面シート１２が折曲部１２Ｓでの復元性を有する折曲脚部１２Ｌ，１２Ｒを両側に備えた遮熱材１を、支持部材３，３０間に嵌入し、下面シート１５の底面１５Ｂに断熱材２を配置して、両側の支持部材３，３０間に遮熱材１と断熱材２とを積層配置したものである。
【００１０】
尚、遮熱材１に於いて、複数層は、上面層１Ａと底面層１Ｃの２層でも、図１の如く、上面層１Ａ、中間層１Ｂ、底面層１Ｃの３層でも、或いは、複数の中間層を備えた４層以上でも良い。
また、各層１Ａ，１Ｂ，１Ｃ間に形成する空気層空間Ｓ１，Ｓ２は、空気の自然対流を生起させれば良く、１０〜２０ｍｍの層間隔Ｓｈを付与すれば良い。
【００１１】
また、保形上面シート１２は、耐用中に、上面層１Ａの平坦を維持し、且つ、折曲部１２Ｓを介した両側の折曲脚部１２Ｌ，１２Ｒが、遮熱材の側方の支持部材側面３Ｆ，３０Ｆに当接して遮熱材の変形、倒伏を阻止するための強度、及び復元性を有するシートであれば良く、プラスチックシート、厚手のクラフト紙等でも良いが、典型的には３ｍｍ厚の段ボール（ｃｏｒｒｕｇａｔｅｄ  ｐａｐｅｒ）である。
【００１２】
また、下面シート１５や、必要に応じて配置する中間層用シート、及び起立片１６，１７等は、耐用中に平坦形態の保持出来るシート材で構成出来、典型的にはクラフト紙である。
また、輻射熱反射層Ｒｅは、熱反射性に優れた金属蒸着膜、金属箔が好ましく、典型的にはアルミ箔貼着層である。
また、「復元性」は、折曲状態から平坦状態に戻ろうとする性質を意味し、復元性が有れば、図２（Ｂ）の如く折曲脚部１２Ｌ，１２Ｒが折曲部１２Ｓを起点とする復元応力Ｆ０を発揮する。
【００１３】
また、「支持部材」は、断熱構造を付与するスペースの両側に平行に配置された構造部材であって、垂木３や壁縦枠３０等の木材はもとより、遮熱材１の側面を当接支持する軽量鉄骨材等の構造部材をも広く含むものである。
また、折曲脚部１２Ｌ，１２Ｒは、遮熱材１の断熱構造としての耐用時に、遮熱材１が変形、倒伏しないように、復元力Ｆ０によって、側方の支持部材側面３Ｆ，３０Ｆに突っ張り支持作用を奏すれば良く、折曲脚部１２Ｌ，１２Ｒの長さは必要に応じて選定すれば良い。
また、底面シート１５の幅は、図１の如く、延出部１５Ｌ，１５Ｒを設けても、図５の如く、上面層１Ａの折曲部１２Ｓ間の幅Ｗ２と同幅としても良い。
また、断熱材２の配置形態は、下面シートの下面１５Ｂと断熱材上面とが密接しておれば良く、接着剤による一体化配置でも、当接配置でも良い。
【００１４】
従って、本発明遮熱材１は、保形上面シート１２の両側に折曲部１２Ｓを介して配置した折曲脚部１２Ｌ，１２Ｒが、保形強度及び復元性を有するため、例えば図２（Ｂ）の如く、屋根垂木３間に嵌入配置した断熱構造の場合は、保形強度を備えた両側の折曲脚部１２Ｌ，１２Ｒが、両側の支持部材としての垂木３の側面３Ｆに、折曲部１２Ｓを起点とする復元力Ｆ０により突っ張り状に当接し、図６の如く、外壁縦枠３０間に嵌入配置した断熱構造の場合は、両側の折曲脚部１２Ｌ，１２Ｒが、両側の支持部材としての縦枠３０の側面３０Ｆに、復元力Ｆ０によって突っ張り状に当接し、遮熱材１は、両側の折曲脚部１２Ｌ，１２Ｒによって、支持部材３，３０間に、上面層１Ａを平坦に保持した形態で確保される。
【００１５】
そして、両側の折曲脚部１２Ｌ，１２Ｒは、遮熱材１の耐用中の変形や倒伏を阻止すると共に、上面層１Ａ上の空気（空気層空間Ｓ０の空気）の遮熱材側面の空気層空間Ｓ３への流入も阻止し、上面層１Ａ、中間層１Ｂ、底面層１Ｃの輻射熱反射作用、及び各層間の空気層空間Ｓ１，Ｓ２、上面層１Ａ上の空気層空間Ｓ０、起立片外方の空気層空間Ｓ３での空気流通を完全に保証する。
【００１６】
そして、屋外側からの加熱で高温化する屋根下張材４や外壁下張材４０から遮熱材１上に負荷される熱は、上面層１Ａでの輻射熱反射作用で遮熱材内部への伝達が阻止され、上面層１Ａから内部に透過する少量の熱も、中間層１Ｂ、及び／又は、底面層１Ｃでの輻射熱反射作用により、それぞれ空気層空間Ｓ０，Ｓ１，Ｓ２から穏やかな空気流によって排熱され、上面層１Ａの上部（外部）の熱の底面層１Ｃ下部の断熱材２への伝達が抑制出来、遮熱材１は断熱材２上に付加された断熱層として機能する。
【００１７】
従って、図２（Ｂ）や図６の如く断熱材２上に配置適用された遮熱材１は、蓄熱機能の存在しない断熱層として機能し、下方の断熱材２を熱的に保護する。
そして、遮熱材１自体が同等厚のグラスウールマットと同等の熱貫流抵抗を有する（効果確認済）ため、断熱構造は、断熱材２プラス遮熱材の断熱効果を奏し、遮熱材１は、断熱材２への加熱負荷を大幅に軽減し、断熱材２が肉厚を薄く出来ることと相俟って、断熱材２の蓄熱量を大幅に抑制した断熱構造を提供する。
【００１８】
また、本発明断熱構造にあっては、遮熱材１が、両端部の起立片１６の外側面１６Ｆに輻射熱反射層Ｒｅを備え、且つ、中間層１Ｂを構成する中間シート１４及び下面シート１５の全面に透湿用のピンホールｈｏを散在配置するのが好ましい。
この場合、ピンホールｈｏの形成は、アルミ箔等の輻射熱反射層Ｒｅを付与したシート材にニードリング処理すれば良い。
【００１９】
従って、透湿用ピンホールｈｏの存在により、遮熱材１内の空気層空間Ｓ１，Ｓ２は連通透湿性となり、遮熱材内部の結露やカビの発生が抑制出来て輻射熱反射層Ｒｅの耐用中の汚染が抑制出来、反射機能の耐久性が向上する。
その上、端部起立片１６外面１６Ｆの反射層Ｒｅにより、図２（Ｂ）の如く、折曲脚部１２Ｌ，１２Ｒと端部起立片１６間に形成される空気層空間Ｓ３内の輻射熱も空間Ｓ３内の通気によって好適に排熱出来る。
【００２０】
また、本発明断熱構造にあっては、図５（Ｃ）に示す如く、遮熱材１の上面層１Ａが、上面シート１３と、上面シート１３上に層着した保形上面シート１２から成り、起立片１６，１７群を図５（Ａ）の如く、下面シート１５と上面シート１３とに倒伏自在に連結止着するのが好ましい。
尚、上面シート１３は、起立片１６，１７群を接着等で止着保持出来、且つ、保形上面シート１２の下面に接着等で層着出来れば良いので、上面シートの幅１３Ｗ（Ｗ２）は、両端部の起立片１６が止着出来、且つ、折曲脚部１２Ｌ，１２Ｒの折曲部１２Ｓでの折曲と干渉しない寸法であれば良い。
【００２１】
この場合は、遮熱材１は、薄手の上面シート１３と下面シート１５とを倒伏自在の起立片１６，１７群で連結した遮熱材本体１０を予め作成し、必要に応じて遮熱材本体１０の上面シート１３上に、強度及び復元性を有する厚手の保形上面シート１２を層着することにより製作出来るため、また、遮熱材本体１０の作成時に所望の中間シート１４を、各起立片１６，１７間に配置出来るため、遮熱材１の製作、保管が容易となる。
【００２２】
また、本発明に用いる遮熱材１は、上面シート１３の両端縁１３Ｅが保形上面シート１２の折曲脚部１２Ｌ，１２Ｒの折曲部１２Ｓを規定し、下面シート１５が上面シート１３と同幅Ｗ２であるのが好ましい。
この場合、保形上面シート１２の両側折曲部１２Ｓ間の平坦面幅Ｗ１は、上面シート１３の層着によって補強されるため、保形上面シート１２の材料選択の自由度が増すと共に、保形上面シート１２への折曲部１２Ｓの付与も容易となる。
【００２３】
しかも、遮熱材１の幅も、上面層幅Ｗ１＋折曲脚部１２Ｌ，１２Ｒの側方への傾斜突出幅Ｗ０となり、幅Ｗ０は遮熱材１の使用形態により決まるので、図４（Ｂ）に示す如く、遮熱材１は、支持部材間隔Ｌ３，Ｌ３０が平坦面幅Ｗ１と同一、又はそれ以上の間隔寸法内には嵌入可能となり、下面シート１５の底面１５Ｂに断熱材２を接着して用いるのに有利である。
【００２４】
また、遮熱材１は、上面層１Ａが、保形上面シート１２であり、起立片１６，１７群を下面シート１５と保形上面シート１２との間に倒伏自在に止着するのが好ましい。
この場合、保形上面シート１２の材質を適切に選択すれば、必要な曲げ強度、及び復元性を有する厚手の保形上面シート１２と、薄手の下面シート１５及び薄手の起立片１６，１７との接着製作が可能であり、上面シート１３を省略したために、構造が単純化し、遮熱材１のコスト低減が出来る。
【００２５】
また、遮熱材１の下面シート１５が、両側に延出部１５Ｌ，１５Ｒを備え、延出部１５Ｌ，１５Ｒを支持部材側面３Ｆ，３０Ｆに折曲当接するのが好ましい。この場合、遮熱材１は、図２（Ａ），（Ｂ）の如く、垂木３等の支持部材間隔Ｌ３の寸法を有する断熱材２を下面シート底面１５Ｂに接着剤固定し、延出部１５Ｌ，１５Ｒを断熱材２の側面２Ｆに沿わせて折曲し、支持部材３，３０間に嵌入するため、折曲延出部１５Ｌ，１５Ｒが嵌入時の若干の寸法誤差も吸収し、断熱材２の支持部材３，３０間への配置作業が容易となる。
そして、断熱材２を支持部材３，３０に釘止めすれば支持部材３，３０と断熱材２との界面を折曲延出部１５Ｌ，１５Ｒが密閉した断熱構造となる。
【００２６】
また、図６の如く、下面シート１５の延出部１５Ｌ，１５Ｒを折曲し、支持部材３，３０間の所定位置に嵌入して支持部材側面３Ｆ，３０Ｆに釘止めし、下面シートの底面１５Ｂ及び折曲延出部１５Ｌ，１５Ｒで形成される空間内に、定形、又は不定形の断熱材２を充填して断熱材２を釘、又は支持材で保持することも可能であり、この場合は、断熱材２として、グラスウール等の繊維系材質の選択も可能となり、断熱材２の選択の自由度が増す。
【００２７】
また、遮熱材１の保形上面シート１２が、両側の折曲部１２Ｓ間で上面層１Ａの平坦面幅Ｗ１を規定し、折曲部１２Ｓから下面シート１５までの高さｈ１に略同寸の折曲脚部１２Ｌ，１２Ｒを備えているのが好ましい。
この場合、折曲脚部１２Ｌ，１２Ｒは、遮熱材１の嵌入押込み時には、起立片１６，１７の補強材の機能を奏して押込み応力を負担するため、断熱施工時の遮熱材１の押込み作業が容易となり、起立片１６，１７の変形による遮熱材１の変形を最少限に出来、遮熱材１の取付施工が容易となる。
【００２８】
また、本発明の断熱構造に用いる遮熱材１は、保形上面シート１２が段ボール紙であり、他のシート１３，１４，１５及び起立片１６，１７がクラフト紙であり、且つ、輻射熱反射層Ｒｅがアルミ箔貼着層であるのが好ましい。
この場合、段ボールは、典型的には表裏クラフト紙を波型中芯に層着した３ｍｍ厚のものである。
そして、遮熱材１の各構成部材がクラフト紙であるため、相互接着性が良くて紙製の遮熱材１の接着製造が容易である。
また、アルミ箔貼着層は、平滑反射面を備え、高性能な輻射熱反射層Ｒｅの低コストでの提供を可能とする。
従って、軽量、且つ安価な遮熱材１を用いて断熱材の蓄熱を抑制した高性能断熱構造が提供出来、省エネルギー住宅の普及に有利となる。
【００２９】
【発明の実施の形態】
〔遮熱材１の製作〕
〔例１．下面シート１５と上面シート１３が同幅タイプ（図４、図５）〕
図４に示す遮熱材１は、図５（Ｃ）の如く、上面シート１３、中間シート１４及び下面シート１５から成り、且つ、下面シート１５が上面シート１３と同寸の幅Ｗ２を備えた３層形態の遮熱材本体１０を形成し、該本体１０の上面シート１３の上面に、保形上面シート１２を層着一体化したものである。
【００３０】
構成材料は、中間の起立片１７及び上面シート１３は、１６５ｇ／ｍ２のクラフト紙（紙１）であり、下面シート１５は、１６５ｇ／ｍ２のクラフト紙の片面に、６．３μｍのアルミ箔を備えたポリエチレンフィルムを層着したもの（紙２）であり、中間シート１４は、７０．８ｇ／ｍ２のクラフト紙の片面に、６．３μｍのアルミ箔を備えたポリエチレンフィルムを層着したもの（紙３）である。
【００３１】
また、両端の起立片１６は、１６５ｇ／ｍ２のクラフト紙の片面に６．３μｍのアルミ箔を備えたポリエチレンフィルムを層着したもの（紙４）であり、保形上面シート１２は、３ｍｍ厚の段ボール（表裏紙：１８０ｇ／ｍ２、中芯紙：１２０ｇ／ｍ２）の表面に、６．３μｍのアルミ箔を備えたポリエチレンフィルムを層着したもの（紙５）である。
そして、中間シート１４及び下面シート１５には、ニードリング処理でピンホール（微細孔）ｈｏを散在配置する。
【００３２】
遮熱材１の寸法は、長さ寸法は長尺物として製作しておき、使用時に適用位置に応じて適寸に裁断して用いる。
また、幅寸法は、適用位置に応じて決定するものであり、屋根断熱用の遮熱材１としては、図１に示す如く、垂木幅３Ｗが３８ｍｍで、垂木高さ３Ｈが８９ｍｍ、垂木芯間寸法３Ｍが５００ｍｍであれば、両側の垂木間隔Ｌ３が４６２ｍｍとなり、遮熱材上面層１Ａの両側と各垂木側面３Ｆ間の間隔Ｇ１が７．５ｍｍ前後に形成出来るように、遮熱材１の上面層１Ａの平坦幅Ｗ１を４４７ｍｍに設定し、上面シート１３の幅Ｗ２は、両側縁１３Ｅが保形上面シート１２の折曲部１２Ｓでの直角折曲すら保証するように、Ｗ２を４４０ｍｍ前後に設定し、下面シート１５の幅もＷ２とする。
また、高さｈ１は、遮熱材本体１０の実効高さ３５ｍｍ＋保形上面シート（段ボール）厚３ｍｍで３８ｍｍとなる。
【００３３】
遮熱材本体１０は、図５（Ｃ）に示す如く、両端起立片１６及び中間起立片１７が上下端の幅１０ｍｍの折曲片１６´，１７´により上面シート１３及び下面シート１５と接着固定し、遮熱材本体１０の実効高さｈ２（標準：３５ｍｍ）を保持し、中間シート１４は、両端の幅１０ｍｍの折曲片１４´で各起立片１６，１７に接着一体化し、各シート１３，１４，１５間に空気の自然対流可能な空気層空間Ｓ１，Ｓ２を形成したものであり、ロール群装置（図示せず）により、中間シート１４及び起立片１６，１７の各折曲片１４´，１６´，１７´の折曲→接着剤付与→押圧接着の工程の走行処理を経て、積層形態で製造する。
勿論、必要に応じて手作業で製作しても良い。
【００３４】
次いで、薄手のクラフト紙（紙１、紙２、紙３、紙４）で製造した遮熱材本体１０の上面シート１３上に、厚手の段ボール（紙５）から成る保形上面シート１２を、アルミ箔面を上面に、且つ、中芯紙の波状の山の方向を幅方向として載置し、両側の折曲部１２Ｓ間の平坦面で接着する。
この場合、保形上面シート１２の幅は、幅方向の両側で、折曲部１２Ｓから下面シート１５までの高さｈ１（標準：３８ｍｍ）の長さの折曲脚部１２Ｌ，１２Ｒ用延長部を付与して接着し、折曲脚部１２Ｌ，１２Ｒを直角に折曲した際には、折曲脚部１２Ｌ，１２Ｒが遮熱材本体１０の側面を覆う形態とする。
【００３５】
〔例２．下面シート１５が延出部１５Ｌ，１５Ｒを有するタイプ（図１、図２、図３）〕
図１に示す如く、屋根垂木３間に嵌入する遮熱材１で、下面シート１５が幅方向両側に延出部１５Ｌ，１５Ｒを有するタイプは、例１（図５）のタイプの製造過程に於いて、下面シート１５として、同一紙（紙２）で幅方向両側に、垂木間で折曲する延出部１５Ｌ，１５Ｒを備えたものを適用すれば良く、各延出部１５Ｌ，１５Ｒの寸法は４３ｍｍ前後とすれば、図２（Ｂ）の如く、断熱材２の側面２Ｆを覆う固定代が得られる。
【００３６】
〔例３．例２で上面層１Ａが保形上面シート１２のみのタイプ（図６）〕
図６に示す遮熱材１は、図１（例２）の遮熱材１に於いて上面シート１３を除去した構成のものである。
そして、製作時には、中間シート１４、下面シート１５及び起立片１６，１７を折曲→接着剤付与→押圧接着した後、折曲脚部１２Ｌ，１２Ｒを折曲してない平坦状態の保形上面シート（段ボール）１２を起立片の折曲片１６´，１７´に接着処理すれば良い。
【００３７】
〔住宅の断熱構造〕
〔屋根への適用〕
〔例１の遮熱材の使用（図４）〕
例１の遮熱材（下面シート１５と上面シート１３が同幅タイプ）は、図４の如く、屋根垂木３上に屋根下張材４を張設し、下張材４上に慣用の防水層５を布設して雨水の屋根下張材下方への浸入を防止し、屋根仕上材の施工後、又は屋根仕上材施工と同時並行して、遮熱材下面シート１５の底面１５Ｂに垂木３間隔寸法Ｌ３で所定厚の断熱材２を接着剤Ａｄで一体化し、保形上面シート１２を、上面シート両端縁１３Ｅに符合して折曲脚部１２Ｌ，１２Ｒの折曲部１２Ｓに折目を付与した遮熱材１を室内側から垂木３間に押上げ嵌入する。
【００３８】
この場合、折曲脚部１２Ｌ，１２Ｒは、折曲部１２Ｓの折目での復元性により、先端１２Ｔが垂木側面３Ｆに当接して嵌入する。
そして、折曲脚部１２Ｌ，１２Ｒは、上面層１Ａの平端部幅Ｗ１と垂木間隔Ｌ３との寸法差Ｗ０によって傾斜形態となり、遮熱材１の押込み過程では、折曲脚部１２Ｌ，１２Ｒが折曲部１２Ｓから下面シート１５までの高さｈ１より若干低い高さｈ３となるが、押込み応力を負担する。
【００３９】
従って、押込み終了位置では、図４（Ａ）の如く、各起立片１６，１７は若干曲がりを生ずるが、断熱材２を若干引き下げることにより、図４（Ｂ）の如く、各起立片１６，１７が適正に起立し、段ボールの保形性及び復元性を備えた各折曲脚部１２Ｌ，１２Ｒの先端１２Ｔが、垂木側面３Ｆに、矢印Ｆ０の復元力により突っ張り状に当接して遮熱材の上面層１Ａ、中間層１Ｂ、底面層１Ｃを、適正且つ、安定的に保持した垂木間断熱構造となる。
【００４０】
得られた屋根断熱構造（図４（Ｂ））にあっては、遮熱材上面層１Ａと屋根下張材４の底面４Ｂとの間には空気層空間Ｓ０が、上面層１Ａと中間層１Ｂとの間には空気層空間Ｓ１が、中間層１Ｂと底面層１Ｃとの間には空気層空間Ｓ２が、折曲脚部１２Ｌ，１２Ｒと外側起立片１６との間には空気層空間Ｓ３が、それぞれ安定確保出来、各層の輻射熱反射層Ｒｅによって各層間の輻射熱は各空間Ｓ０，Ｓ１，Ｓ２，Ｓ３により排熱出来る。
従って、屋根下張材４から伝達される高温負荷熱は、下面シート１５の下方（内方）への伝達が抑制出来、下方の断熱材２へは抑制された負荷熱での蓄熱となり、蓄熱量が大幅に低減出来る。
【００４１】
しかも、折曲脚部１２Ｌ，１２Ｒも表面（外面）に輻射熱反射層Ｒｅを備え、且つ、脚部先端１２Ｔが復元力Ｆ０によって垂木側面３Ｆに当接するため、高温になる空気層空間Ｓ０内の空気の起立片１６側面の空間Ｓ３内への流入を抑制し、遮熱材下方の断熱材２への熱負荷を抑制する。
この場合、各空気層空間Ｓ０，Ｓ１，Ｓ２，Ｓ３には外気の穏やかな流入を生ずるため、各層間の輻射熱は、輻射熱反射層Ｒｅによって外方へ排熱出来、各層での下方への熱伝達が抑制出来る。
尚、下面シート１５の両側部では、断熱材２が２Ｌ，２Ｒ部で若干空気層空間Ｓ３に露出して空気層空間Ｓ３内の空気と接触するが、熱的支障は許容出来る程度である。
【００４２】
〔例２の遮熱材の使用（図２）〕
例２の遮熱材（下面シート１５が延出部１５Ｌ，１５Ｒを有するタイプ）は、図２の如く、屋根下張材４及び防水層５を張設した垂木３間に、上面層１Ａ（保形上面シート）に折曲部１２Ｓの折目で折曲脚部１２Ｌ，１２Ｒを折曲し、下面シート底面１５Ｂに垂木間隔Ｌ３に相応する断熱材２を接着一体化し、且つ下面シート延出部１５Ｌ，１５Ｒを折曲部１５Ｓで断熱材側面２Ｆに折曲当接した遮熱材１を、室内側から図２（Ａ）の如く、断熱材底面２Ｂを所定位置より若干入り込むまで嵌入し、次いで、断熱材２を図２（Ｂ）の如く、若干引戻して垂木３に釘打ち固定すれば、屋根垂木３間に、断熱材２と遮熱材１との重層形態の屋根断熱構造が形成出来る。
【００４３】
そして、得られた屋根断熱構造（図２（Ａ））は、折曲脚部１２Ｌ，１２Ｒの垂木側面３Ｆへの復元力Ｆ０での当接によって、上面層１Ａの空気層空間Ｓ０の高温空気の空気層空間Ｓ３への流入を阻止し、各層の輻射熱反射層Ｒｅによって、屋根下張材下面の高温空気熱の下面シート１５下方（内方）への輻射熱伝達を阻止し、断熱材２を遮熱材１で熱的に保護した蓄熱の少ない、且つ、遮熱材１＋断熱材２の断熱機能を備えた断熱構造となる。
【００４４】
〔外壁への適用〕
〔例３の遮熱材の使用（図６）〕
図６は外壁断熱に例３（上面層１Ａが保形上面シート１２のみのタイプ）の遮熱材１を適用した例図である。
即ち、保形上面シート１２の上面幅Ｗ１（図１）を外壁の壁下張材４０を張設した各縦枠３０間の間隔Ｌ３０より若干（１０〜２０ｍｍ）小とし、遮熱材１の保形上面シート１２には、予め折曲部１２Ｓで折曲脚部１２Ｌ，１２Ｒに折目を付け、且つ、下面シート１５が縦枠３０の間隔Ｌ３０内に嵌入出来るように、その延出部１５Ｌ，１５Ｒも折曲しておき、該遮熱材１を縦枠３０間に室内側から嵌入して、下面シート延出部１５Ｌ，１５Ｒを縦枠側面３０Ｆに釘Ｎで固定する。次いで、遮熱材１の下面シート底面１５Ｂ及び両側の折曲延出部１５Ｌ，１５Ｒで形成した空間内にグラスウール等の不定形断熱材２を充填し、断熱材底面に慣用の防湿シート（図示せず）を張設する。
【００４５】
得られた断熱構造にあって、遮熱材１は、壁下張材４０と上面層１Ａとの間に空気層空間Ｓ０を形成し、折曲脚部１２Ｌ，１２Ｒは、先端１２Ｔが縦枠３０側面に段ボールの折曲部１２Ｓでの復元力Ｆ０によって突っ張り状に当接して端部起立片１６との間に空気層空間Ｓ３を形成し、両側の折曲脚部１２Ｌ，１２Ｒによって、遮熱材１を適正姿勢に保持して各層間の空気層空間Ｓ１，Ｓ２を保持すると共に、空気層空間Ｓ０と空気層空間Ｓ３との連通を阻止する構造となる。
勿論、例２（図１）の遮熱材１も、例３（図６）の遮熱材１と同様施工で、外壁断熱への適用が可能であり、例１の遮熱材１も縦枠３０間に適用可能である。
【００４６】
〔実施態様効果〕
本発明の実施の態様の断熱構造にあっては、遮熱材は構成シート材が全て紙（紙１、紙２、紙３、紙４、紙５）であって、折目付与性、接着性が良好であるため、製作上手間のかかる中間シート１４の起立片１６，１７への取付け、及び起立片１６，１７の下面シート１５、及び上面シート１３又は保形上面シート１２への取付けがローラー群装置による走行工程によって、正確に、且つ、容易に製作出来る。
しかも、起立片１６，１７の倒伏形態（積層形態）での保管が可能であり、製品の保管及び搬送が容易である。
【００４７】
遮熱材１は、構成シート材が全て紙であるため軽量であり、施工使用に際しては嵩の低い積層形態物を必要長さに裁断し、平坦状態の保形上面シート１２の両側に折曲部１２Ｓの折目を付与し、且つ、起立片１６，１７を起立するだけで使用可能となるため、施工現場への搬入、使用準備、及び断熱施工が容易である。
【００４８】
屋根垂木３間に適用する屋根断熱施工では、屋根下張材を張設した後の施工であり、縦枠３０間に適用する外壁断熱施工では、室内側からの施工となり、遮熱材は雨天でも施工出来、断熱施工の期間も短縮出来る。
しかも、室内側での脚立を用いた施工となるため、従来の図７や図８（Ｂ）の如き屋根上からの危険な高所作業でないため、断熱施工作業が安全となり作業性も良い。
【００４９】
遮熱材１は軽量物であり、折曲脚部１２Ｌ，１２Ｒは、保形性の大な段ボールに折曲部１２Ｓで折目を付け、折目での復元性によって側方への突っ張り力を発現して保持するため、垂木３間や、縦枠３０間に嵌入するだけで遮熱材１の位置の仮保持が出来、断熱施工時の遮熱材１の取付作業が容易である。
【００５０】
遮熱材１は、上面層１Ａの輻射熱反射層Ｒｅが外部からの輻射熱を反射して空気層空間Ｓ０で排出し、中間層１Ｂ及び底面層１Ｃでも空気層空間Ｓ１，Ｓ２で透過輻射熱を反射放出し、両端部の起立片１６と折曲脚部１２Ｌ，１２Ｒ間の空気層空間Ｓ３でも輻射熱を反射放出するため、断熱材２上への重層形態の断熱構造とすることにより、外部熱の断熱材２への伝達を抑制し、断熱材の蓄熱を大幅に低減する。
【００５１】
尚、上面層１Ａ、中間層１Ｂ、底面層１Ｃが共に表面に輻射熱反射層Ｒｅを備えた例１（図４）の遮熱材（３層形態、且つｈ１が４０ｍｍ）単体の熱貫流抵抗、熱貫流率、熱抵抗を財団法人建材試験センターで測定したところ、遮熱材１と同厚のグラスウールマットと略同等の熱貫流抵抗（０．９２ｍ２・ｋ／ｗ）の発揮を確認した。
即ち、遮熱材１は日射の無い条件でも遮熱機能を発揮する。
【００５２】
また、遮熱材１は、中間シート１４及び下面シート１５が多数のピンホールｈｏを有するため、透湿性となって遮熱材内部での結露が防止出来て輻射熱反射層Ｒｅの結露、カビ発生による汚染が抑制出来、遮熱機能の耐久性が向上し、遮熱材の下面に付設使用する断熱材２に対しても、断熱材の吸湿による断熱機能低下を抑制する。
【００５３】
〔その他〕
例２の遮熱材（下面シート１５が延出部１５Ｌ，１５Ｒを有するタイプ）は、垂木間、壁の縦枠間、等の木材（支持部材）３，３０間に予め嵌入、押込んだ状態で、下面シート１５の延出部１５Ｌ，１５Ｒを支持部材側面３Ｆ（３０Ｆ）に、タッカ−又は釘で止着し、下面シート１５の底面１５Ｂ及び両側延出部１５Ｌ，１５Ｒで形成される空間内に断熱材２を挿入することが可能であり、この場合は、発泡成形プラスチック等の固形断熱材の嵌入施工のみならず、グラスウール等の繊維系断熱材の充填施工も可能となり、繊維系充填断熱材を採用すれば室内側に防湿層を付与すれば良い。
【００５４】
また、例３のタイプ（図６）に於いて、下面シート１５の延出部１５Ｌ，１５Ｒを除去することも可能である。
この場合は、例１の遮熱材同様に、垂木３間や縦枠３０間への適用に際しては、下面シートの底面に断熱材を固着すれば良い。
また、保形上面シート１２としては、折曲部１２Ｓの折目で必要復元応力Ｆ０さえ発揮出来れば、秤量の大な厚紙でも、プラスチックシートでも良く、プラスチックシートの場合は、ピンホールを穿孔して透湿性とするのが好ましい。
【００５５】
【発明の効果】
本発明遮熱材１は、屋根断熱や外壁断熱にあっては、適用装着する垂木、縦枠等の木材（支持部材）間に上面層１Ａ側から配置出来るため、室内側からの脚立等による安全、且つ、容易な施工となる。
従って、屋根下張材４や壁下張材４０の施工後の雨に濡れない状態での施工となり、雨天での作業も可能となって工期が短縮化出来ると共に、雨に濡れない状態で取付けた遮熱材１は、耐用中のカビや吸水腐蝕の生じない耐久性のある断熱構造を提供する。
【００５６】
しかも、復元性を有する折曲脚部１２Ｌ，１２Ｒによる垂木３等の支持部材側面への突っ張り状態での位置保持固定となるため、遮熱材１の支持部材間への配置状態で遮熱材１が仮固定状態となって、断熱施工時の遮熱材１の垂木３等の木材への取付作業が容易となり、遮熱材１は、取付施工後の耐用中も、両側の折曲脚部１２Ｌ，１２Ｒによって適正姿勢で適正位置に保持出来、従って、断熱材２との併用による設計値どおりの断熱機能、及び断熱材保護機能を発揮する。
【００５７】
また、本発明の断熱構造は、蓄熱性がなく、しかも同等厚さのグラスウールと同等の断熱機能を奏する遮熱材１で断熱材２を被覆保護するように取付けるため、断熱材２の肉厚が薄く出来、しかも、遮熱材１が断熱材２への加熱負荷を軽減抑制するため、断熱材２の蓄熱量が大幅に抑制出来て、特に夏季での省エネルギー効果を顕著に発揮する住宅の断熱構造を提供する。
【００５８】
また、遮熱材１の中間シート１４及び下面シート１５にピンホールｈｏを散在配置することにより、遮熱材内部での結露が防止出来、結露やカビの発生による輻射熱反射層Ｒｅの汚染が防止出来て、遮熱材の輻射熱反射機能低下が抑制出来る。
また、遮熱材の下面シート１５には、両側に延出部１５Ｌ，１５Ｒを形成しておき、延出部１５Ｌ，１５Ｒを断熱材２側面に折曲して遮熱材１と共に支持部材間に嵌入配置することにより、断熱材２を遮熱材１で熱的に被覆保護した断熱構造が容易に形成出来、住宅の適所への適切な断熱構造付与が可能となり、合理的、且つ省エネルギーの断熱構造住宅の提供を可能とする。
【図面の簡単な説明】
【図１】実施態様例２の遮熱材の正面図である。
【図２】図１の遮熱材による屋根断熱構造説明正面図であって、（Ａ）は押込んだ状態を、（Ｂ）は取付完了状態を示す図である。
【図３】実施態様例２の遮熱材の説明正面図であって、（Ａ）は積層形態からの引き起こし状態を、（Ｂ）は起立片の起立状態を示す図である。
【図４】実施態様例１の遮熱材を用いた屋根断熱構造の説明正面図であって、（Ａ）は押込んだ状態を、（Ｂ）は取付完了状態を示す図である。
【図５】実施態様例１の遮熱材の説明正面図であって、（Ａ）は積層形態からの引起し状態を、（Ｂ）は起立片の起立状態を、（Ｃ）は分解した状態を示す図である。
【図６】実施態様例３の遮熱材を適用した外壁断熱構造説明正面図である。
【図７】従来例１の説明正面図であって、（Ａ）は通気下地材取付状態を、（Ｂ）は通気層形成状態を、（Ｃ）は断熱構造形成状態を示す図である。
【図８】従来例２の説明斜視図であって、（Ａ）は天井仕上材上の断熱構造を、（Ｂ）は屋根断熱を示す図である。
【符号の説明】
１：遮熱材、                        １Ａ、上面層、
１Ｂ：中間層、                      １Ｃ、底面層、
２：断熱材、
２Ｂ，３Ｂ，４Ｂ，１５Ｂ，３０Ｂ：底面、
３：垂木（木材、支持部材）、        ２Ｆ，３Ｆ，３０Ｆ：側面、
４：屋根下張材、                    ５：防水層、
１０：遮熱材本体、
１２：保形上面シート、              １２Ｌ，１２Ｒ：折曲脚部、
１２Ｓ，１５Ｓ：折曲部、            １２Ｔ：脚部先端（先端）、
１３：上面シート、                  １３Ｅ：端縁、
１４：中間シート、                  １４´，１６´，１７´：折曲片、
１５：下面シート、
１５Ｌ，１５Ｒ：延出部（折曲延出部）、
１６，１７：起立片、                ３０：縦枠（木材、支持部材）、
４０：壁下張材、                    Ｆ０：復元応力（復元力）、
Ｌ３：垂木間隔（間隔）、              Ｌ３０：縦枠間隔（間隔）、
Ｎ：釘（ステープル）、                Ｏ：小口開口（通気開口）、
Ｒｅ：輻射熱反射層（アルミ箔層）、    Ｓｈ：層間隔、
Ｓ０，Ｓ１，Ｓ２，Ｓ３：空気層空間
【図１】
2005016171.tif 000003
【図２】
2005016171.tif 000004
【図３】
2005016171.tif 000005
【図４】
2005016171.tif 000006
【図５】
2005016171.tif 000007
【図６】
2005016171.tif 000008
【図７】
2005016171.tif 000009
【図８】
2005016171.tif 000010